(57)【要約】      （修正有）【課題】家屋の屋根や屋根に設置した太陽光発電パネル装置に四季を通して散水できるように構成し、冷却効果と洗浄及び消雪ができるオールシーズン型の散水装置を提供する。【解決手段】揚水ポンプを作動させて散水手段１９から家屋の屋根１上に散水する散水装置であって、揚水ポンプの給水側に冷却用の水と温水器９により加温された温水を供給可能に構成し、温水器９と揚水ポンプとの接続配管路に流路を開閉自在な温水器用電磁バルブを設け、夏季には電磁バルブを閉操作することにより、冷水用の水のみを揚水ポンプに供給し、屋根１上に散水して、屋根１若しくは屋根１上に設置した太陽光発電パネル装置２１を冷却するようになし、冬季には温水器用電磁バルブを開操作して温水器９からの温水を散水手段１９から家屋の屋根１上に散水する。【選択図】図１
2016089491.tif 000002
【特許請求の範囲】
【請求項１】
家屋の屋根上に散水手段を配設し、揚水ポンプと前記散水手段を配管を介して接続し、揚水ポンプを作動させて前記散水手段から家屋の屋根上に散水する散水装置であって、前記揚水ポンプの給水側に冷却用の水と温水器により加温された温水を供給可能に構成し、温水器と揚水ポンプとの接続配管路に流路を開閉自在な温水器用電磁バルブを設け、夏季には該電磁バルブを閉操作することにより、冷水用の水のみを揚水ポンプに供給し屋根上に散水して屋根若しくは屋根上に設置した太陽光発電パネル装置を冷却するようになし、冬季には温水器用電磁バルブを開操作して温水器からの温水を前記散水手段から家屋の屋根に散水することにより、屋根上の積雪を融雪するように構成したことを特徴とする散水装置。
【請求項２】
屋根又は太陽光発電パネル装置に屋根の温度を検知するための温度センサーを設け、夏季には該温度センサーにより検出した屋根の温度が設定値以上になると前記揚水ポンプを自動的に作動させて冷却用の水を屋根上に散水するように構成した請求項1記載の散水装置。
【請求項３】
別途設けた受水槽と揚水ポンプの給水側を流路開閉用の冷却水用電磁バルブを介して配管接続し、また、前記温水器と揚水ポンプとの間の前記温水器用電磁バルブより下流側配管路にミキシングバルブを設け、水道水を水道水用電磁バルブを介して前記ミキシングバルブに供給するように構成する一方、降雪検知センサーと低温度センサーとを設け、降雪検知センサーで降雪状態を検出すると共に低温度センサーで低温度を検知したとき、前記温水器用電磁バルブと水道水用電磁バルブを開操作することにより水道水と温水を前記ミキシングバルブに導き、該ミキシングバルブで融雪可能な水温の温水となるように混合させて前記散水手段から散水するように構成するとともに、冬季以外は温水器用電磁バルブと水道水用電磁バルブを閉状態のままで冷却水用電磁バルブを開操作して、夏季は前記受水槽の水を屋根冷却用の水として散水手段から散水するように構成した請求項１又は２記載の散水装置。
【発明の詳細な説明】
【技術分野】
【０００１】
本発明は、屋根や屋根に設置した太陽光発電パネル装置に四季を通して散水できるように構成したオールシーズン型の散水装置に関するものである。
【背景技術】
【０００２】
従来、特許文献１に示されるように、屋根冷却用の散水手段を設置して屋根面に向けて散水するものが開示されている。
【０００３】
また、特許文献２に示されるように、融雪用の散水手段を設置して屋根面に向けて温水を散水するものが開示されている。
【先行技術文献】
【特許文献】
【０００４】
【特許文献１】特開２０００−２９７５０２号公報
【特許文献２】特開２００５−８３１８０号公報
【発明の概要】
【発明が解決しようとする課題】
【０００５】
しかしながら、上記特許文献１に開示された散水装置においては、散水装置の用途が屋根の冷却だけの目的であるため、夏季の限られた期間のみしか使用できなかった。
【０００６】
また、特許文献２に開示された散水装置においては、散水装置の用途が屋根上の融雪だけの目的であるため、冬季の限られた期間のみしか使用できなかった。
【課題を解決するための手段】
【０００７】
上記の課題を解決するための本発明による散水装置は、  家屋の屋根１上に散水手段１９を配設し、揚水ポンプ３４と前記散水手段１９を配管を介して接続し、揚水ポンプ３４を作動させて前記散水手段１９から家屋の屋根１に散水する散水装置であって、前記揚水ポンプ３４の給水側に冷却用の水と温水器９により加温された温水を供給可能に構成し、温水器９と揚水ポンプ３４との接続配管路に流路を開閉自在な温水器用電磁バルブ３２を設け、夏季には該電磁バルブ３２を閉操作することにより、冷水用の水のみを揚水ポンプ３４に供給し屋根上に散水して屋根１若しくは屋根上に設置した太陽光発電パネル装置２１を冷却するようになし、冬季には温水器用電磁バルブ３２を開操作して温水器９からの温水を前記散水手段１９から家屋の屋根１に散水することにより、屋根上の積雪を融雪するように構成したことを特徴としている。
【０００８】
第２に、屋根１又は太陽光発電パネル装置２１に屋根１の温度を検知するための温度センサー２３を設け、夏季には該温度センサー２３により検出した屋根の温度が設定値以上になると前記揚水ポンプ３４を自動的に作動させて冷却用の水を屋根１上に散水するように構成したことを特徴としている。
【０００９】
第３に、別途設けた受水槽７と揚水ポンプ３４の給水側を流路開閉用の冷却水用電磁バルブ３０を介して配管接続し、また、前記温水器９と揚水ポンプ３４との間の前記温水器用電磁バルブ３２より下流側配管路にミキシングバルブ３３を設け、水道水を水道水用電磁バルブ３１を介して前記ミキシングバルブ３３に供給するように構成する一方、降雪検知センサー２４と低温度センサー３８とを設け、降雪検知センサー２４で降雪状態を検出すると共に低温度センサー３８で低温度を検知したとき、前記温水器用電磁バルブ３２と水道水用電磁バルブ３１を開操作することにより水道水と温水を前記ミキシングバルブ３３に導き、該ミキシングバルブ３３で融雪可能な水温の温水となるように混合させて前記散水手段１９から散水するように構成するとともに、冬季以外は温水器用電磁バルブ３２と水道水用電磁バルブ３１を閉状態のままで冷却水用電磁バルブ３０を開操作して、夏季は前記受水槽７の水を屋根冷却用の水として散水手段１９から散水するように構成したことを特徴としている。
【発明の効果】
【００１０】
上記のように構成した本発明の散水装置は次のような効果を奏する。初めに家屋の屋根上に散水手段を配設し、揚水ポンプと前記散水手段を配管を介して接続し、揚水ポンプを作動させて前記散水手段から家屋の屋根に散水する散水装置であって、前記揚水ポンプの給水側に冷却用の水と温水器により加温された温水を供給可能に構成し、温水器と揚水ポンプとの接続配管路に流路を開閉自在な温水器用電磁バルブを設け、夏季には該電磁バルブを閉操作することにより、冷水用の水のみを揚水ポンプに供給し屋根上に散水して屋根若しくは屋根上に設置した太陽光発電パネル装置を冷却するようになし、冬季には温水器用電磁バルブを開操作して温水器からの温水を前記散水手段から家屋の屋根に散水して、屋根上の積雪を融雪するように構成したことにより、外気の気象条件に応じて散水するスプリンクラー（散水手段）の配水管に受水槽の水や水道水、および温水器の湯水をそれぞれ流出せしめる開閉自在な電磁バルブと揚水ポンプを介して散水できるように構成し、年間の四季に応じてそれぞれの電磁バルブの開閉プログラムにより気象条件に合わせた散水設定が容易に行えるものである。
【００１１】
また、家屋の屋根又は太陽光発電パネル装置に屋根の温度を検知するための温度センサーを設け、夏季には該温度センサーにより検出した屋根の温度が設定値以上になると前記揚水ポンプを自動的に作動させて冷却用の水を屋根に散水するように構成したことにより、屋根面又は、太陽光発電パネル装置の蓄熱温度を下げて屋根面の冷却と太陽光発電パネル装置の冷却作用によって家屋の周辺温度（室内温度）を下げ、太陽光発電パネル装置にあっては熱による発電効率の低下を防止できるものである。
【００１２】
また、別途設けた受水槽と揚水ポンプの給水側を流路開閉用の冷却水用電磁バルブを介して配管接続し、また、前記温水器と揚水ポンプとの間の前記温水器用電磁バルブより下流側配管路にミキシングバルブを設け、水道水を水道水用電磁バルブを介して前記ミキシングバルブに供給するように構成する一方、降雪検知センサーと低温度センサーとを設け、降雪検知センサーで降雪状態を検出すると共に低温度センサーで低温度を検知したとき、前記温水器用電磁バルブと水道水用電磁バルブを開操作することにより水道水と温水を前記ミキシングバルブに導き、該ミキシングバルブで融雪可能な水温の温水となるように混合させて前記散水手段から散水するように構成するとともに、冬季以外は温水器用電磁バルブと水道水用電磁バルブを閉状態のままで冷却水用電磁バルブを開操作して、夏季は前記受水槽の水を屋根冷却用の水として散水手段から散水するように構成したことにより、前記は温水器の湯水量を最小限に抑制して光熱費のコスト低減をはかり、また、冬季以外は水の循環型の受水槽の水を使用して水道料金のコスト低減が行えるものである。
【図面の簡単な説明】
【００１３】
【図１】本発明の実施形態に係わる散水装置を設置した家屋の稼動状態を示す全体斜視図である。
【図２】散水装置の配管図と各センサー.電磁バルブ.電磁ポンプを制御する制御回路部からなる配電図である。
【発明を実施するための形態】
【実施例１】
【００１４】
以下、本発明の実施形態を図面に基づいて具体的に説明する。先ず、図１は家屋の屋根１に散水するスプリンクラー（散水手段）１９を設置して、屋根１や太陽光発電パネル装置２１に散水している散水装置の散水稼動状態を図示しており、図２は前記散水装置の配管図と外気の気象条件に応じて制御する制御回路部の配電図を図示している。
【００１５】
始めに図１のように、家屋の屋根１に日当たりの良好な屋根側に太陽光発電パネル装置２１が設置されていて、該太陽光発電パネル装置２１の一側部に密着させた状態で太陽光発電パネル装置２１の温度を検知する温度センサー２３を取り付けし、該温度センサー２３のリード線２３ａは制御盤２２の制御回路部３５に接続されて設定温度以上になるとスイッチがＯＮになる構成にしている。また、屋根１の上棟部にはスプリンクラー１９がカバー２０を介して必要数だけ配管１８に立設させた状態で設けられ、左右端部に立設させたスプリンクラー１９,１９は屋根１の内側に向けて１８０°首振り散水できるように設定され、また、前記屋根１の上棟部中央に立設させたスプリンクラー１９は３６０°回転自在に散水できるように取付けられている。そして、家屋の屋根１の雨樋２，２は、落葉や塵などが雨樋２，２の中に混入しないようにロール状のフィルター４，４が入れられていて、屋根１から流下した水分のみを受け入れて樋管３，３に設けた樋管フィルター５，５を通り、配管６，６によって受水槽７に流れ込むようにしている。
尚、上記実施形態では、太陽光発電パネル装置２１に設けた温度センサー２３を屋根の温度を検知する温度センサーに兼用しているが、屋根の温度を検知する温度センサーを別途設けても良いものである。
【００１６】
また、前記家屋の周辺部には冬季に雪の検知ができる降雪検知センサー２４が取付けられて、該降雪検知センサー２４のリード線２４ａは温度センサー２３のリード線２３ａと同様に制御盤２２に配索され、制御回路部３５に接続されて降雪検知ができる構造にしている。そして、制御回路部３５は家庭用の交流電源３６により電磁バルブ３０，３１，３２および揚水ポンプ３４の各機器の作動が行えるようにしている。一方、図１および図２のように、受水槽７は、屋根１から流下した散水の水２５や雨水をフィルター４，４および５，５で濾過した水を貯蔵できるように配管され、また、水道水の配管１２は水自動供給バルブアッシ２７を介して受水槽７に接続されていて、受水槽７の貯水がいつも満杯になる構造にしてあり、それ以上に雨水や散水の水２５が受水槽７に流入すると余分な水は受水槽７の排水管８から槽外に排出される構造にしている。
【００１７】
また、受水槽７の上部には、散水する水を送る揚水ポンプ３４から成るポンプアッシ１４と各送水管に介装させた電磁バルブ３０，３１，３２とフィルター２８，２８，２９を配設したフィルター，バルブアッシ１５がそれぞれ図のように設けられている。そして、図２で図示しているように、水道管３７は手動バルブ２６を介して温水器９と配管１２に分岐され、配管１２は手動バルブ１３を介して受水槽７と逆止め弁２８に分岐されて水道水用電磁バルブ３１に接続されている。一方、温水器９で加熱された温水は家庭用と散水用に分岐され、散水用は手動バルブ１１を介して逆止め弁２８を通り、温水器用電磁バルブ３２に接続されている。そして、電磁バルブ３１，３２は温水と水道水を混合するミキシングバルブ３３に接続され、また、受水槽７からフィルター２９を介して冷却水用電磁バルブ３０に接続された受水槽７の貯水は、前記ミキシングバルブ３３と接続させて揚水ポンプ３４に接続し、該ポンプ３４の吐出水はフィルター２９および、配管１６を介してスプリンクラー１９群を立設した配管１８に接続した構造にしている。尚、スプリンクラー１９群を立設した配管１８の側端部には、散水されないときに配管１８内の水を抜き、水の凍結防止を図るための自動排水弁１７が設けられている。
【００１８】
従って、図１〜図２で示すように、本案の屋根用散水装置は、年間の四季を通じて使用できるものであり、冬季には外気の気温が低温設定値の２．５°以下になると降雪検知センサー２４に組み込まれている降雪用の低温度センサー３８により、制御回路部３５の第１回路に内蔵してあるスイッチはＯＦＦからＯＮに切り替わる。そして、この外気温度になった時に雪が降りはじめると、降雪検知センサー２４は降雪数量をカウントして、予め設定したカウント数量に達すると降雪検知センサー２４により制御回路部３５の第２回路に内蔵してあるスイッチはＯＦＦからＯＮに切り替わる。
【００１９】
そして、前記低温度センサー３８と降雪検知センサー２４のスイッチＯＮによるＡＮＤ回路が形成されて水道水の水道水用電磁バルブ３１と温水器９の温水器用電磁バルブ３２と揚水ポンプ３４は電源が通電され、閉止状態にあった電磁バルブ３１，３２は開放状態に維持されて揚水ポンプ３４は作動する。すると、水道水と温水器９の温水は逆止め弁２８，２８を介して電磁バルブ３１，３２を通り、ミキシングバルブ３３に導かれた水道水と温水は混合して融雪可能な水温に調整され、該ミキシングバルブ３３で調整された温水は、揚水ポンプ３４により屋根１に設置してあるスプリンクラー１９のそれぞれに送水し、スプリンクラー１９は水圧により首振りや、回転作動しながら降雪する家屋の屋根１や太陽光発電パネル装置２１に散水して雪を消雪し、屋根1や太陽光発電パネル装置２１に散水した水は雨樋２に流下してやがて受水槽７に流入する。
【００２０】
そして、前記散水稼動は雪が止むまで温水を継続散水させても良く、また、制御回路部３５に設けたタイマースイッチの切り替えスイッチにより受水槽７の冷却水用電磁バルブ３０を通電して開放状態にし、水道水と温水器９の電磁バルブ３１，３２の通電を停止して電磁バルブ３１，３２のバルブを閉止状態にし、降雪検知センサー２４が降雪を検知している間は受水槽７の貯水で連続して散水稼動させて消雪出来るようにしても良いから、降雪が止むと降雪検知センサー２４は降雪を検知できなくなるため、降雪検知センサー２４により制御回路部３５の第２回路に内蔵してあるスイッチはＯＮからＯＦＦに切り替わり、制御回路部３５のＡＮＤ回路が形成されなくなり、揚水ポンプ３４と冷却水用電磁バルブ３０の通電は停止されて揚水ポンプ３４は作動停止し、冷却水用電磁バルブ３０のバルブは閉止状態になる。そのため、スプリンクラー１９は徐々に散水しなくなり、スプリンクラー１９は首振りや回転を停止し、やがて配管１８内の水圧が低下してくると配管１８の端部に接続してある自動排水弁１７のバルブが開き、自動排水弁１７から配管１８内の水は排出される。
【００２１】
このように冬季の降雪時期には温水器９の温水を利用して家屋の屋根１や太陽光発電パネル装置２１に降雪する雪を素早く消雪して、屋根1や太陽光発電パネル装置２１を積雪による雪害から未然に防止できるものである。尚、冬季の寒冷地帯においては、散水する水は温水器９の温水を継続して使用してもよく、また、井戸水を利用してもよいものである。
【００２２】
次に、冬季以外の季節には、屋根１や太陽光発電パネル装置２１の表面を定期的に洗浄したり冷却したりするため、屋根１や太陽光発電パネル装置２１の洗浄は制御回路部３５に設けたタイマースイッチを作動させて、毎日か或いは数日間隔で冷却水用電磁バルブ３０と揚水ポンプ３４を作動させてスプリンクラー１９で数分間の一定散水稼動をする。尚、上記タイマースイッチに替えて手動によるＯＮ・ＯＦＦスイッチを設けても良いものである。
また、夏場の気温の高くなる時期には太陽光発電パネル装置２１の一側部に密着させた状態で取付けられている温度センサー２３が設定値以上の温度に検知されると、制御回路部３５のスイッチがＯＮになり、前記電磁バルブ３０と揚水ポンプ３４は通電されて作動し、受水槽７の水をスプリンクラー１９から屋根1及び太陽光発電パネル装置２１に散水する。
【００２３】
そして、屋根１や太陽光発電パネル装置２１はスプリンクラー１９の散水により、水の気化熱現象で熱を奪われて冷却されるから、屋根１や太陽光発電パネル装置２１は徐々に冷却されて、該太陽光発電パネル装置２１に取付けられている温度センサー２３は設定値以下の温度になると、制御回路部３５のスイッチがＯＦＦになり、冷却水用電磁バルブ３０と揚水ポンプ３４は共に停止してスプリンクラー１９からの散水も停止し、やがて配管１８内の水圧が低下してくると配管１８の端部に接続してある自動排水弁１７のバルブが開き、自動排水弁１７から配管１８内の水は排出される。
尚、温度センサー２３は外気温ではなく太陽光発電パネル装置２１の温度を直接検知する（温度センサーを屋根に取り付ける場合は、屋根の温度（例えば瓦の温度）を直接検知する）ものであり、効果的な冷却用の水の散布が行えるものである。
このように、本発明の散水装置は四季を通してオールシーズンの散水稼動が効率よく行えるものである。
【産業上の利用可能性】
【００２４】
本案発明は、四季を通じて屋根や屋根に設置した太陽光発電パネル装置の散水が行えるものであり、夏季は屋根や太陽光発電パネル装置の冷却効果で屋内の温度上昇の抑制と太陽光発電の効率低下抑制が期待でき、冬季は屋根や太陽光発電パネル装置上の降雪を溶かして家屋や太陽光発電パネル装置の雪害を未然に防止する。また、春季、秋季は中国から飛来する黄砂や家屋周辺部にある木々の落葉等で屋根や太陽光発電パネル面が汚れを生じたり覆われたりするため、これらを除去する洗浄散水を毎日から数日間隔での定期散水により、屋根や屋根に設置した太陽光発電パネル装置はいつも綺麗に洗浄されて発電効率を低下させることなく最善状態を維持することができる。
【符号の説明】
【００２５】
１    家屋の屋根
２    雨樋
４    雨樋落葉除去フィルター
５    雨水フィルター
７    受水槽
９    温水器
１４  ポンプアッシ
１５  フィルター、バルブアッシ
１７  自動排水弁
１９  スプリンクラー（散水手段）
２０  カバー
２１  太陽光発電パネル装置
２２  制御盤
２３  温度センサー  
２４  降雪検知センサー
２７  水自動供給バルブアッシ
２９  フィルター
３０  冷却水用電磁バルブ
３１  水道水用電磁バルブ
３２  温水器用電磁バルブ
３３  ミキシングバルブ
３４  揚水ポンプ
３５  制御回路部
３６  交流電源  （１００ｖ）
３８  低温度センサー
【図１】
2016089491.tif 000003
【図２】
2016089491.tif 000004